【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
コンピュータが実行するデータ処理方法であって、
前記コンピュータのユーザの属性を示す第１のプロファイルデータを生成する第１の工程と、
前記第１の工程で生成した前記第１のプロファイルデータを含む要求を他のコンピュータに送信する第２の工程と、
前記第２の工程で送信した前記要求に応じて受信した前記他のコンピュータのユーザの属性を示す第２のプロファイルデータを前記コンピュータのメモリに記憶する第３の工程と、
前記第３の工程で前記メモリに記憶した前記第２のプロファイルデータを基に、前記ユーザに適合した処理を行う第４の工程と
を有するデータ処理方法。
【請求項２】
前記第２の工程において、前記送信先のコンピュータから前記第２のプロファイルデータを受信する条件を示す条件データを含む前記要求を前記他のコンピュータに送信する
請求項１に記載のデータ処理方法。
【請求項３】
前記第２の工程において、前記第１のプロファイルデータ内のデータと、前記第２のプロファイルデータ内のデータとの間の関係を示す前記条件データを含む前記要求を前記他のコンピュータに送信する
請求項２に記載のデータ処理方法。
【請求項４】
前記他のコンピュータが、さらに他のコンピュータから取得したプロファイルデータを基に前記ユーザに適合した処理を行うための指標となる指標データを生成する場合に、
前記指標データを他のコンピュータに要求する第５の工程と、
前記第５の工程で送信した前記要求に応じて受信した前記指標データを前記メモリに記憶する第６の工程と
をさらに有し、
前記第４の工程において、前記第６の工程で前記メモリに記憶した前記指標データをさらに利用して、前記ユーザに適合した処理を行う
請求項１に記載のデータ処理方法。
【請求項５】
前記第１のプロファイルデータは、前記コンピュータの前記ユーザの個人情報と、当該ユーザが前記コンピュータに対して行った操作履歴情報とのうち少なくとも一つを示し、
前記第２のプロファイルデータは、前記他のコンピュータの前記ユーザの個人情報と、当該ユーザが前記他のコンピュータに対して行った操作履歴情報とのうち少なくとも一つを示している
請求項１に記載のデータ処理方法。
【請求項６】
インタフェースと、
実行回路と
を有するコンピュータであって、
前記実行回路は、前記コンピュータのユーザの属性を示す第１のプロファイルデータを含む要求を他のコンピュータに前記インタフェースを介して送信し、前記インタフェースを介して前記要求に応じて受信した前記他のコンピュータのユーザの属性を示す第２のプロファイルデータを基に、前記ユーザに適合した処理を行う
コンピュータ。
【請求項７】
コンピュータが実行するデータ処理方法であって、
他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断する第１の工程と、
前記第１の工程で前記要求に応答すると判断したことを条件に、前記第２のプロファイルデータを前記他のコンピュータに送信する第２の工程と
を前記コンピュータに実行させるデータ処理方法。
【請求項８】
前記第１の工程において、前記第１のプロファイルデータと前記第２のプロファイルデータとの関係が、前記要求に含まれる前記送信先のコンピュータから前記第２のプロファイルデータを受信する条件を示す条件データが示す前記条件を満たしているか否かに基づいて、前記要求に応答するか否かを判断する
請求項７に記載のデータ処理方法。
【請求項９】
前記他のコンピュータ以外のコンピュータから取得したプロファイルデータを基に、前記他のコンピュータのユーザに適合した処理を行うための指標となる指標データを生成する第３の工程と、
前記第３の工程で生成した前記指標データを、前記他のコンピュータに送信する第４の工程と
をさらに有する請求項７に記載のデータ処理方法。
【請求項１０】
予め決められた前記他のコンピュータ以外のコンピュータに、前記第１のプロファイルデータを送信する第５の工程
をさらに有する請求項８に記載のデータ処理方法。
【請求項１１】
インタフェースと、
実行回路と
を有するコンピュータであって、
前記実行回路は、前記インタフェースを介して他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断し、前記要求に応答すると判断したことを条件に、前記第２のプロファイルデータを前記他のコンピュータに前記インタフェースを介して送信する
コンピュータ。
【請求項１２】
第１のインタフェースおよび第１の実行回路を備えた第１のコンピュータと、
第２のインタフェースおよび第２の実行回路を備えた第２のコンピュータと
を有する通信システムであって、
前記第１のコンピュータの前記第１の実行回路は、前記第１のコンピュータのユーザの属性を示す第１のプロファイルデータを含む要求を前記第２のコンピュータに前記第１のインタフェースを介して送信し、前記第１のインタフェースを介して前記要求に応じて受信した前記第２のコンピュータのユーザの属性を示す第２のプロファイルデータを基に、前記ユーザに適合した処理を行い、
前記第２のコンピュータの前記第２の実行回路は、前記第２のインタフェースを介して第１のコンピュータから受信した前記要求に含まれる前記第１のプロファイルデータと、前記第２のコンピュータのユーザの前記第２のプロファイルデータとに基づいて、前記要求に応答するか否かを判断し、前記要求に応答すると判断したことを条件に、前記第２のプロファイルデータを前記第１のコンピュータに前記第２のインタフェースを介して送信する
通信システム。
【手続補正２】
【補正対象書類名】明細書
【補正対象項目名】発明の名称
【補正方法】変更
【補正の内容】
【発明の名称】データ処理方法、コンピュータおよび通信システム
【手続補正３】
【補正対象書類名】明細書
【補正対象項目名】０００１
【補正方法】変更
【補正の内容】
【０００１】
本発明は、ネットワークなどの通信において、ユーザのプロファイルデータの送受信を行うデータ処理方法、コンピュータおよび通信システムに関する。
【手続補正４】
【補正対象書類名】明細書
【補正対象項目名】０００５
【補正方法】変更
【補正の内容】
【０００５】
本発明は上述した従来技術の問題点に鑑みて成され、各コンピュータのユーザに近い属性を持つ他のユーザのプロファイルデータを用いて、当該ユーザに対して潜在的に適合した処理を自動的に行う環境を提供することができるデータ処理方法、コンピュータおよび通信システムを提供することを目的とする。
【手続補正５】
【補正対象書類名】明細書
【補正対象項目名】０００６
【補正方法】変更
【補正の内容】
【０００６】
上述した従来技術の問題点を解決し、上述した目的を達成するために、コンピュータが実行するデータ処理方法であって、前記コンピュータのユーザの属性を示す第１のプロファイルデータを生成する第１の工程と、前記第１の工程で生成した前記第１のプロファイルデータを含む要求を他のコンピュータに送信する第２の工程と、前記第２の工程で送信した前記要求に応じて受信した前記他のコンピュータのユーザの属性を示す第２のプロファイルデータを前記コンピュータのメモリに記憶する第３の工程と、前記第３の工程で前記メモリに記憶した前記第２のプロファイルデータを基に、前記ユーザに適合した処理を行う第４の工程とを有する。
【手続補正６】
【補正対象書類名】明細書
【補正対象項目名】０００７
【補正方法】変更
【補正の内容】
【０００７】
第１の発明のデータ処理方法の作用は以下のようになる。
先ず、コンピュータが第１の発明のデータ処理方法を実行する。
そして、前記コンピュータが、当該データ処理方法の第１の工程に従って、前記コンピュータのユーザの属性を示す第１のプロファイルデータを生成する。
次に、前記コンピュータが、第２の工程に従って、前記第１の工程で生成した前記第１のプロファイルデータを含む要求を他のコンピュータに送信する。
次に、前記コンピュータが、第３の工程に従って、前記第２の工程で送信した前記要求に応じて受信した前記他のコンピュータのユーザの属性を示す第２のプロファイルデータを前記コンピュータのメモリに記憶する。
次に、前記コンピュータが、第４の工程に従って、前記第３の工程で前記メモリに記憶した前記第２のプロファイルデータを基に、前記ユーザに適合した処理を行う。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
第３の発明のデータ処理方法は、コンピュータが実行するデータ処理方法であって、他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断する第１の工程と、前記第１の工程で前記要求に応答すると判断したことを条件に、前記第２のプロファイルデータを前記他のコンピュータに送信する第２の工程とを前記コンピュータに実行させる。
【手続補正９】
【補正対象書類名】明細書
【補正対象項目名】００１２
【補正方法】変更
【補正の内容】
【００１２】
第３の発明のデータ処理方法の作用は以下のようになる。
先ず、コンピュータが第４の発明のデータ処理方法を実行する。
そして、前記コンピュータが、当該データ処理方法の第１の工程に従って、他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断する。
次に、前記コンピュータが、当該データ処理方法の第２の工程に従って、前記第１の工程で前記要求に応答すると判断したことを条件に、前記第２のプロファイルデータを前記他のコンピュータに送信する。
【手続補正１０】
【補正対象書類名】明細書
【補正対象項目名】００１３
【補正方法】変更
【補正の内容】
【００１３】
第４の発明のコンピュータは、インタフェースと、実行回路とを有するコンピュータであって、前記実行回路は、前記インタフェースを介して他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断し、前記要求に応答すると判断したことを条件に、前記第２のプロファイルデータを前記他のコンピュータに前記インタフェースを介して送信する。
【手続補正１１】
【補正対象書類名】明細書
【補正対象項目名】００１４
【補正方法】変更
【補正の内容】
【００１４】
第４の発明のコンピュータの作用は以下のようになる。
実行回路が、前記インタフェースを介して他のコンピュータから受信した要求に含まれる当該他のコンピュータのユーザの属性を示す第１のプロファイルデータと、前記コンピュータのユーザの第２のプロファイルデータとに基づいて、前記要求に応答するか否かを判断する。
次に、前記実行回路が、前記要求に応答すると判断したことを条件に、前記第２のプロファイルデータを前記他のコンピュータに前記インタフェースを介して送信する。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
第５の発明の通信システムは、第１のインタフェースおよび第１の実行回路を備えた第１のコンピュータと、第２のインタフェースおよび第２の実行回路を備えた第２のコンピュータとを有する通信システムであって、前記第１のコンピュータの前記第１の実行回路は、前記第１のコンピュータのユーザの属性を示す第１のプロファイルデータを含む要求を前記第２のコンピュータに前記第１のインタフェースを介して送信し、前記第１のインタフェースを介して前記要求に応じて受信した前記第２のコンピュータのユーザの属性を示す第２のプロファイルデータを基に、前記ユーザに適合した処理を行い、前記第２のコンピュータの前記第２の実行回路は、前記第２のインタフェースを介して第１のコンピュータから受信した前記要求に含まれる前記第１のプロファイルデータと、前記第２のコンピュータのユーザの前記第２のプロファイルデータとに基づいて、前記要求に応答するか否かを判断し、前記要求に応答すると判断したことを条件に、前記第２のプロファイルデータを前記第１のコンピュータに前記第２のインタフェースを介して送信する。
【手続補正１４】
【補正対象書類名】明細書
【補正対象項目名】００１７
【補正方法】変更
【補正の内容】
【００１７】
本発明によれば、各コンピュータのユーザに近い属性を持つ他のユーザのプロファイルデータを用いて、当該ユーザに対して潜在的に適合した処理を自動的に行う環境を提供することができるデータ処理方法、コンピュータおよび通信システムを提供することができる。
【手続補正１５】
【補正対象書類名】明細書
【補正対象項目名】００１８
【補正方法】変更
【補正の内容】
【００１８】
以下、本発明の実施形態に係わる通信システムについて説明する。
〔本発明の構成との対応関係〕
先ず、本実施形態の構成要素と、本発明の構成要素との対応関係を説明する。
図１に示すコンピュータＣ１，Ｃ２の各々が、本発明のコンピュータに対応している。
また、図２に示すインタフェース２２が、本発明のインタフェース、第１のインタフェースまたは第２のインタフェースに対応している。
また、図２に示すＣＰＵ２６が、本発明の実行回路、第１の実行回路または第２の実行回路に対応している。
【手続補正１６】
【補正対象書類名】明細書
【補正対象項目名】００１９
【補正方法】変更
【補正の内容】
【００１９】
図１４に示す一連の処理が第１の発明の第１の工程に対応し、図１５に示す一連の処理が第１の発明の第２の工程に対応し、図２１に示す一連の処理が第１の発明の第３および第４の工程に対応している。
また、
図１８に示すステップＳＴ５５が第３の発明の第１の工程に対応し、ステップＳＴ５６，ＳＴ５７が第３の発明の第２の工程に対応している。